(57)【特許請求の範囲】
【請求項１】
通信回線を介して呼出信号を受信する毎に、当該通信回線から送信される発識別信号から着信番号を取得するとともに、現在日時を計時する計時手段から上記呼出信号を受信した受信日時を取得し、少なくとも上記着信番号及び上記受信日時からなる着信データを着信履歴データとして所定件数分、順次、記憶手段に記憶させる着信データ記憶手段を備えた通信装置であって、
上記記憶手段に記憶された着信データの表示手段への表示を指示するための第１の操作手段と、
上記記憶手段に記憶された着信データを着信番号順に表示させる表示モードに切換設定するための第２の操作手段と、
上記第１の操作手段により上記着信データの表示が指示されると、上記記憶手段に記憶された着信データを着信順に読み出して上記表示手段に表示させる第１の着信データ表示制御手段と、
上記第１の着信データ表示制御手段による上記着信データの表示処理が開始された後であって、着信データの着信順による表示が行われる前に、上記第２の操作手段により表示モードの切換えが可能であり、その第２の操作手段により表示モードの切り換えが指示された場合に、上記記憶手段に記憶された着信データを着信番号順に並び替えた後、当該着信データを着信番号順に読み出して上記表示手段に表示させる第２の着信データ表示制御手段と、を備えたことを特徴とする通信装置。
【請求項２】
相手先の電話番号と相手先名称とを対応付けてあらかじめ記憶された相手先記憶手段を備え、
上記第２の着信データ表示制御手段は、表示すべき着信データに含まれる着信番号が上記相手先記憶手段に記憶されていれば、上記表示手段に表示される着信データの着信番号に代えて当該着信番号に対応する相手先名称を表示させる、請求項１に記載の通信装置。
【請求項３】
上記記憶手段に記憶された着信データを検索する検索モードに切換設定するための第３の操作手段と、
上記着信データを検索するためのデータを入力するための入力手段と、
上記第１の着信データ表示制御手段による上記着信データの表示処理が開始された後に、上記第３の操作手段により検索モードに切換えられるとともに、上記入力手段により検索用のデータが入力されると、上記記憶手段に記憶された着信データの中から当該データを含む着信データを検索する着信データ検索手段と、
上記着信データ検索手段により検索結果として得られた着信データを上記表示手段に表示させる検索結果表示制御手段と、を更に備えたことを特徴とする、請求項１又は２に記載の通信装置。
【請求項４】
通信回線を介して発呼信号が発信される毎に、当該発呼信号から発信番号を取得するとともに、現在日時を計時する計時手段から上記発呼信号を発信した発信日時を取得し、少なくとも上記発信番号及び上記発信日時からなる発信データを発信履歴データとして所定件数分、順次、記憶手段に記憶させる発信データ記憶手段を備えた通信装置であって、
上記記憶手段に記憶された発信データの表示手段への表示を指示するための第４の操作手段と、
上記記憶手段に記憶された発信データを発信番号順に表示させる表示モードに切換設定するための第５の操作手段と、
上記第４の操作手段により上記発信データの表示が指示されると、上記記憶手段に記憶された発信データを発信順に読み出して上記表示手段に表示させる第１の発信データ表示制御手段と、
上記第１の発信データ表示制御手段による上記発信データの表示処理が開始された後であって、発信データの発信順による表示が行われる前に、上記第５の操作手段により表示モードの切換えが可能であり、その第５の操作手段により表示モードの切り換えが指示された場合に、上記記憶手段に記憶された発信データを発信番号順に並び替えた後、当該発信データを発信番号順に読み出して上記表示手段に表示させる第２の発信データ表示制御手段と、を備えたことを特徴とする通信装置。
【請求項５】
相手先の電話番号と相手先名称とを対応付けてあらかじめ記憶された相手先記憶手段を備え、
上記第２の発信データ表示制御手段は、表示すべき発信データに含まれる発信番号が上記相手先記憶手段に記憶されていれば、上記表示手段に表示される発信データの発信番号に代えて当該発信番号に対応する相手先名称を表示させる、請求項４に記載の通信装置。
【請求項６】
上記記憶手段に記憶された発信データを検索する検索モードに切換設定するための第６の操作手段と、
上記発信データを検索するためのデータを入力するための入力手段と、
上記第１の発信データ表示制御手段による上記発信データの表示処理が開始された後に、上記第６の操作手段により検索モードに切換えられるとともに、上記入力手段により検索用のデータが入力されると、上記記憶手段に記憶された発信データの中から当該データを含む発信データを検索する発信データ検索手段と、
上記発信データ検索手段により検索結果として得られた発信データを上記表示手段に表示させる検索結果表示制御手段と、を更に備えたことを特徴とする、請求項４又は５に記載の通信装置。
【請求項７】
上記表示手段は、上記着信データ若しくは上記発信データを１件ずつ表示するものであり、
上記表示手段に上記着信データ若しくは上記発信データが表示された状態で、発信ボタンが操作されると、当該着信データに含まれる着信番号若しくは当該発信データに含まれる発信番号を上記通信回線に発信する発信制御手段を更に備えたことを特徴とする、請求項１ないし請求項６のいずれかに記載の通信装置。
【請求項８】
通信回線を介して呼出信号を受信する毎に、当該通信回線から送信される発識別信号から着信番号を取得するとともに、現在日時を計時する計時手段から上記呼出信号を受信した受信日時を取得し、少なくとも上記着信番号及び上記受信日時からなる着信データを着信履歴データとして所定件数分、順次、記憶手段に記憶させる着信データ記憶手段と、上記記憶手段に記憶された着信データの表示手段への表示を指示するための第１の操作手段と、上記記憶手段に記憶された着信データを着信番号順に表示させる表示モードに切換設定するための第２の操作手段とを備えた通信装置を制御するコンピュータに実行させるためのプログラムを記憶したコンピュータ読み取り可能な記憶媒体であって、
上記コンピュータを、
上記第１の操作手段により上記着信データの表示が指示されると、上記記憶手段に記憶された着信データを着信順に読み出して上記表示手段に表示させる第１の着信データ表示制御手段と、
上記第１の着信データ表示制御手段による上記着信データの表示処理が開始された後であって、着信データの着信順による表示が行われる前に、上記第２の操作手段により表示モードの切換えが可能であり、その第２の操作手段により表示モードの切り換えが指示された場合に、上記記憶手段に記憶された着信デ上記記憶手段に記憶された着信データを着信番号順に並び替えた後、当該着信データを着信番号順に読み出して上記表示手段に表示させる第２の着信データ表示制御手段と、して機能させるためのプログラムを記憶したことを特徴とするコンピュータ読み取り可能な記憶媒体。
【請求項９】
通信回線を介して呼出信号を受信する毎に、当該通信回線から送信される発識別信号から着信番号を取得するとともに、現在日時を計時する計時手段から上記呼出信号を受信した受信日時を取得し、少なくとも上記着信番号及び上記受信日時からなる着信データを着信履歴データとして所定件数分、順次、記憶手段に記憶させる着信データ記憶手段と、上記記憶手段に記憶された着信データの表示手段への表示を指示するための第１の操作手段と、上記記憶手段に記憶された着信データを検索する検索モードに切換設定するための第３の操作手段と、上記着信データを検索するためのデータを入力するための入力手段とを備えた通信装置を制御するコンピュータに実行させるためのプログラムを記憶したコンピュータ読み取り可能な記憶媒体であって、
上記コンピュータを、
上記第１の操作手段により上記着信データの表示が指示されると、上記記憶手段に記憶された着信データを着信順に読み出して上記表示手段に表示させる第１の着信データ表示制御手段と、
上記第１の着信データ表示制御手段による上記着信データの表示処理が開始された後であって、着信データの着信順による表示が行われる前に、上記第３の操作手段により検索モードへの切換えが可能であり、その第３の操作手段により検索モードへの切り換えが指示されるとともに、上記入力手段により検索用のデータが入力されると、上記記憶手段に記憶された着信データの中から当該データを含む着信データを検索する着信データ検索手段と、
上記着信データ検索手段により検索結果として得られた着信データを上記表示手段に表示させる検索結果表示制御手段と、して機能させるためのプログラムを記憶したことを特徴とするコンピュータ読み取り可能な記憶媒体。
【請求項１０】
通信回線を介して発呼信号が発信される毎に、当該発呼信号から発信番号を取得するとともに、現在日時を計時する計時手段から上記発呼信号を発信した発信日時を取得し、少なくとも上記発信番号及び上記発信日時からなる発信データを発信履歴データとして所定件数分、順次、記憶手段に記憶させる発信データ記憶手段と、上記記憶手段に記憶された発信データの表示手段への表示を指示するための第４の操作手段と、上記記憶手段に記憶された発信データを発信番号順に表示させる表示モードに切換設定するための第５の操作手段とを備えた通信装置を制御するコンピュータに実行させるためのプログラムを記憶したコンピュータ読み取り可能な記憶媒体であって、
上記コンピュータを、
上記第４の操作手段により上記発信データの表示が指示されると、上記記憶手段に記憶された発信データを発信順に読み出して上記表示手段に表示させる第１の発信データ表示制御手段と、
上記第１の発信データ表示制御手段による上記発信データの表示処理が開始された後であって、発信データの発信順による表示が行われる前に、上記第５の操作手段により表示モードの切換えが可能であり、その第５の操作手段により表示モードの切換えが指示された場合に、上記記憶手段に記憶された発信データを発信番号順に並び替えた後、当該発信データを発信番号順に読み出して上記表示手段に表示させる第２の発信データ表示制御手段と、して機能させるためのプログラムを記憶したことを特徴とするコンピュータ読み取り可能な記憶媒体。
【請求項１１】
通信回線を介して発呼信号が発信される毎に、当該発信信号から発信番号を取得するとともに、現在日時を計時する計時手段から上記発呼信号を発信した発信日時を取得し、少なくとも上記発信番号及び上記発信日時からなる発信データを発信履歴データとして所定件数分、順次、記憶手段に記憶させる発信データ記憶手段と、上記記憶手段に記憶された発信データの表示手段への表示を指示するための第４の操作手段と、上記記憶手段に記憶された発信データを発信番号順に表示させる表示モードに切換設定するための第５の操作手段と、上記記憶手段に記憶された発信データを検索する検索モードに切換設定するための第６の操作手段と、上記発信データを検索するためのデータを入力するための入力手段とを備えた通信装置を制御するコンピュータに実行させるためのプログラムを記憶したコンピュータ読み取り可能な記憶媒体であって、
上記コンピュータを、
上記第４の操作手段により上記発信データの表示が指示されると、上記記憶手段に記憶された発信データを発信順に読み出して上記表示手段に表示させる第１の発信データ表示制御手段と、
上記第１の発信データ表示制御手段による上記発信データの表示処理が開始された後であって、発信データの発信順による表示が行われる前に、上記第６の操作手段により検索モードへの切換えが可能であり、その第６の操作手段により検索モードへの切換えが指示されるとともに、上記入力手段により検索用のデータが入力されると、上記記憶手段に記憶された発信データの中から当該データを含む発信データを検索する発信データ検索手段と、
上記発信データ検索手段により検索結果として得られた発信データを上記表示手段に表示させる検索結果表示制御手段と、して機能させるためのプログラムを記憶したことを特徴とするコンピュータ読み取り可能な記憶媒体。
【発明の詳細な説明】
【０００１】
【発明の属する技術分野】
本発明は、たとえば電話装置などにおける通信履歴として、着信番号または発信番号などを記憶しておくことができる通信装置、およびその通信装置を制御するためのプログラムを記憶した記憶媒体に関する。
【０００２】
【従来の技術】
現在、公衆電話回線網のサービスの一環として、ナンバーディスプレイサービス（以下、略して「ＮＤＳ」という）なるものが提供されている。このＮＤＳに対応した電話装置では、発信元からの呼出信号受信時に、その発信元の電話番号がディスプレイに表示される。
【０００３】
そのようなＮＤＳ対応の電話装置においては、呼出信号を受信した後、受信日時や発信元電話番号（以下、「着信番号」という）を着信データとしてメモリに記憶させる機能を備えた電話装置もある。このような電話装置においては、受信件数ごとに所定件数分の着信データがメモリに記憶され、使用者が所定のキー操作を行うことによって、メモリに記憶された着信データが呼び出され、そうしてディスプレイ上に受信日時とともに着信番号が表示される。
【０００４】
一方、最近の一般的な電話装置においては、発呼信号を発信する際、ダイヤルキーの入力に応じた発呼先の電話番号を送出するとともに、その発呼先電話番号（以下、「発信番号」という）を発信データとしてメモリに記憶させる、いわゆるリダイヤルメモリ機能を備えたものもある。このようなリダイヤルメモリ機能では、発呼先と通話できなかった場合などに使用者が所定のキー操作を行うことにより、メモリに記憶された発信データが呼び出され、そうして発信番号がディスプレイ上に表示された後、さらに発信ボタンなどが操作されると、表示された発信番号が発呼信号として再び発信される。
【０００５】
このようにしてメモリに記憶された着信番号または発信番号は、待ち受け時に使用者が所定のキー操作を行うことにより、１件ずつ履歴順にスクロール表示され、そうして所望の着信番号または発信番号がディスプレイ上に表示された後、その着信番号または発信番号をメモリから削除することなどが可能とされている。
【０００６】
【発明が解決しようとする課題】
しかし、上記従来の電話装置では、メモリに記憶された所定件数分の着信番号または発信番号の中から所望の番号についての着信履歴（発信履歴）のみを確認したい場合であっても、メモリに記憶された全件分の着信番号、または発信番号を履歴順に表示させることしかできなかったので、例えば所望の番号が複数件数分にわたってメモリに記憶されており、しかも、その番号に前後して別の番号が履歴として残されている場合には、そのような表示方法によっては、所望の番号の履歴を効率良く確認することができないという不都合があった。
【０００７】
本発明は、上記の点に鑑みて提案されたものであって、通信履歴としてメモリに記憶された着信データまたは発信データを効率良く確認することができる通信装置、およびその通信装置を制御するためのプログラムを記憶した記憶媒体を提供することを目的としている。
【０００８】
【課題を解決するための手段】
上記目的を達成するために、請求項１に記載した発明の通信装置は、通信回線を介して呼出信号を受信する毎に、当該通信回線から送信される発識別信号から着信番号を取得するとともに、現在日時を計時する計時手段から上記呼出信号を受信した受信日時を取得し、少なくとも上記着信番号及び上記受信日時からなる着信データを着信履歴データとして所定件数分、順次、記憶手段に記憶させる着信データ記憶手段を備えた通信装置であって、上記記憶手段に記憶された着信データの表示手段への表示を指示するための第１の操作手段と、上記記憶手段に記憶された着信データを着信番号順に表示させる表示モードに切換設定するための第２の操作手段と、上記第１の操作手段により上記着信データの表示が指示されると、上記記憶手段に記憶された着信データを着信順に読み出して上記表示手段に表示させる第１の着信データ表示制御手段と、上記第１の着信データ表示制御手段による上記着信データの表示処理が開始された後であって、着信データの着信順による表示が行われる前に、上記第２の操作手段により表示モードの切換えが可能であり、その第２の操作手段により表示モードの切り換えが指示された場合に、上記記憶手段に記憶された着信データを着信番号順に並び替えた後、当該着信データを着信番号順に読み出して上記表示手段に表示させる第２の着信データ表示制御手段と、を備えたことを特徴としている。
【０００９】
この通信装置によれば、記憶手段に記憶された所定件数分の着信データから所望の着信番号についての着信履歴のみを確認したい場合、着信番号順に並び替えた順序に応じて着信データが表示されるので、所望する着信番号が複数件数分にわたって記憶手段に記憶されており、しかも、その着信番号に前後して別の着信番号を含む情報が着信データとして残されている場合であっても、表示結果としては、所望の着信番号を含む着信データが連続した状態となり、その結果、着信履歴として残された所望の着信データを効率良く確認することができる。
【００１０】
なお、通信回線としては、たとえば公衆電話回線、または専用電話回線などのＮＤＳが提供されている通信回線網が適しており、その方式としては、有線方式または無線方式のいずれであっても良い。
【００１１】
着信番号としては、たとえば公衆電話回線あるいは専用電話回線などにおいて加入者端末装置に定められた電話番号が一般的であるが、その他の着信番号などであっても良い。また、その並び替え順序としては、着信番号の大きい順、または小さい順のいずれであっても良い。さらに、着信番号は、着信データの内容の一部または内容の全部のいずれであっても良い。
【００１２】
記憶手段としては、たとえばＥＥＰＲＯＭや電源バックアップが施されたＲＡＭなどのメモリが適しているが、勿論その他の記憶デバイスであっても良い。
【００１３】
出力手段としては、たとえば液晶などからなるディスプレイなどの表示出力機器、あるいは記録紙に対して印字処理を施す印字出力機器が適しているが、その他に音声出力機器などを適用することも可能である。また、その出力形式としては、着信データの一件ずつをスクロール表示させたり、あるいは所定数の着信データを一括して印字させるいずれの形式であっても良い。
【００１４】
【００１５】
【００１６】
さらに、請求項２に記載した発明の通信装置は、相手先の電話番号と相手先名称とを対応付けてあらかじめ記憶された相手先記憶手段を備え、上記第２の着信データ表示制御手段は、表示すべき着信データに含まれる着信番号が上記相手先記憶手段に記憶されていれば、上記表示手段に表示される着信データの着信番号に代えて当該着信番号に対応する相手先名称を表示させる。
【００１７】
この通信装置によれば、請求項１に記載の通信装置による効果に加えて、あらかじめ識別コードに対応した相手先名称が記憶されている場合、その相手先名称が着信データとともに表示されるので、どの相手先から着信があったのかを容易に把握することができる。また、着信番号順に並び替えられた状態で表示された場合、相手先ごとにまとめて着信データが表示されることとなり、相手先からの着信データを容易に探すことができる。
【００１８】
また、請求項３に記載した発明の通信装置は、請求項１又は２に記載の通信装置であって、上記記憶手段に記憶された着信データを検索する検索モードに切換設定するための第３の操作手段と、上記着信データを検索するためのデータを入力するための入力手段と、上記第１の着信データ表示制御手段による上記着信データの表示処理が開始された後に、上記第３の操作手段により検索モードに切換えられるとともに、上記入力手段により検索用のデータが入力されると、上記記憶手段に記憶された着信データの中から当該データを含む着信データを検索する着信データ検索手段と、上記着信データ検索手段により検索結果として得られた着信データを上記表示手段に表示させる検索結果表示制御手段と、を更に備えたことを特徴としている。
【００１９】
この通信装置によれば、記憶手段に記憶された所定件数分の着信データから所望の着信番号についての着信履歴のみを確認したい場合、たとえば、その着信番号の一部分を特定のデータとして入力すると、その特定のデータを含む着信データが検索結果として表示されるので、所望する着信番号が複数件数分にわたって記憶手段に記憶されており、しかも、その着信番号に前後して別の着信番号が着信データとして残されている場合であっても、検索による表示結果としては、所望の着信番号を含む着信データが連続した状態となり、その結果、着信履歴として残る所望の着信番号を効率良く探し出して確認することができる。
【００２０】
さらに、請求項４に記載した発明の通信装置は、通信回線を介して発呼信号が発信される毎に、当該発呼信号から発信番号を取得するとともに、現在日時を計時する計時手段から上記発呼信号を発信した発信日時を取得し、少なくとも上記発信番号及び上記発信日時からなる発信データを発信履歴データとして所定件数分、順次、記憶手段に記憶させる発信データ記憶手段を備えた通信装置であって、上記記憶手段に記憶された発信データの表示手段への表示を指示するための第４の操作手段と、上記記憶手段に記憶された発信データを発信番号順に表示させる表示モードに切換設定するための第５の操作手段と、上記第４の操作手段により上記発信データの表示が指示されると、上記記憶手段に記憶された発信データを発信順に読み出して上記表示手段に表示させる第１の発信データ表示制御手段と、上記第１の発信データ表示制御手段による上記発信データの表示処理が開始された後であって、発信データの発信順による表示が行われる前に、上記第５の操作手段により表示モードの切換えが可能であり、その第５の操作手段により表示モードの切り換えが指示された場合に、上記記憶手段に記憶された発信データを発信番号順に並び替えた後、当該発信データを発信番号順に読み出して上記表示手段に表示させる第２の発信データ表示制御手段と、を備えたことを特徴としている。
【００２１】
この通信装置によれば、記憶手段に記憶された所定件数分の発信データから所望の発信番号についての発信履歴のみを確認したい場合、発信番号順に並び替えた順序に応じて発信データが表示されるので、所望する発信番号が複数件数分にわたって記憶手段に記憶されており、しかも、その発信番号に前後して別の発信番号を含む情報が発信データとして残されている場合であっても、表示結果としては、所望の発信番号を含む発信データが連続した状態となり、その結果、発信履歴として残された所望の発信番号を効率良く確認することができる。
【００２２】
なお、発信番号としては、たとえば公衆電話回線あるいは専用電話回線などにおいて加入者端末装置に定められた電話番号が一般的であるが、その他の発信番号などであっても良い。また、その並び替え順序としては、発信番号列の大きい順、または小さい順のいずれであっても良い。さらに、発信番号は、発信データの内容の一部または内容の全部のいずれであっても良い。
【００２３】
【００２４】
【００２５】
さらに、請求項５に記載した発明の通信装置は、請求項４に記載の通信装置であって、相手先の電話番号と相手先名称とを対応付けてあらかじめ記憶された相手先記憶手段を備え、上記第２の発信データ表示制御手段は、表示すべき発信データに含まれる発信番号が上記相手先記憶手段に記憶されていれば、上記表示手段に表示される発信データの発信番号に代えて当該発信番号に対応する相手先名称を表示させる。
【００２６】
この通信装置によれば、請求項４に記載の通信装置による効果に加えて、あらかじめ識別コードに対応した相手先名称が記憶されている場合、その相手先名称が発信データとともに出力されるので、どの相手先に対して発信したのかを容易に把握することができる。また、発信番号順に並び替えられた状態で表示された場合、相手先ごとにまとめて発信データが表示されることとなり、相手先からの発信データを容易に探すことができる。
【００２７】
また、請求項６に記載した発明の通信装置は、請求項４又は５に記載の通信装置であって、上記記憶手段に記憶された発信データを検索する検索モードに切換設定するための第６の操作手段と、上記発信データを検索するためのデータを入力するための入力手段と、
上記第１の発信データ表示制御手段による上記発信データの表示処理が開始された後に、上記第６の操作手段により検索モードに切換えられるとともに、上記入力手段により検索用のデータが入力されると、上記記憶手段に記憶された発信データの中から当該データを含む発信データを検索する発信データ検索手段と、上記発信データ検索手段により検索結果として得られた発信データを上記表示手段に表示させる検索結果表示制御手段と、を更に備えたことを特徴としている。
【００２８】
この通信装置によれば、記憶手段に記憶された所定件数分の発信データから所望の発信番号についての発信履歴のみを確認したい場合、たとえば、その発信番号の一部分を特定のデータとして入力すると、その特定のデータを含む発信データが検索結果として表示されるので、所望する発信番号が複数件数分にわたって記憶手段に記憶されており、しかも、その発信番号に前後して別の発信番号が発信データとして残されている場合であっても、検索による表示結果としては、所望の発信番号を含む発信データが連続した状態となり、その結果、発信履歴として残る所望の発信番号を効率良く探し出して確認することができる。
【００２９】
さらに、請求項７に記載した発明の通信装置は、請求項１ないし請求項６のいずれかに記載の通信装置であって、上記表示手段は、上記着信データ若しくは上記発信データを１件ずつ表示するものであり、
上記表示手段に上記着信データ若しくは上記発信データが表示された状態で、発信ボタンが操作されると、当該着信データに含まれる着信番号若しくは当該発信データに含まれる発信番号を上記通信回線に発信する発信制御手段を更に備えたことを特徴としている。
【００３０】
この通信装置によれば、請求項１ないし請求項６のいずれかに記載の通信装置による効果に加えて、表示手段の表示結果に含まれる着信番号または発信番号を発呼信号として発信することができるので、履歴として残された所定件数分の着信データまたは発信データから発信すべき所望の相手先を簡単に探し出して発信することができる。
【００３１】
また、請求項８に記載した発明の記憶媒体は、通信回線を介して呼出信号を受信する毎に、当該通信回線から送信される発識別信号から着信番号を取得するとともに、現在日時を計時する計時手段から上記呼出信号を受信した受信日時を取得し、少なくとも上記着信番号及び上記受信日時からなる着信データを着信履歴データとして所定件数分、順次、記憶手段に記憶させる着信データ記憶手段と、上記記憶手段に記憶された着信データの表示手段への表示を指示するための第１の操作手段と、上記記憶手段に記憶された着信データを着信番号順に表示させる表示モードに切換設定するための第２の操作手段とを備えた通信装置を制御するコンピュータに実行させるためのプログラムを記憶したコンピュータ読み取り可能な記憶媒体であって、上記コンピュータを、上記第１の操作手段により上記着信データの表示が指示されると、上記記憶手段に記憶された着信データを着信順に読み出して上記表示手段に表示させる第１の着信データ表示制御手段と、上記第１の着信データ表示制御手段による上記着信データの表示処理が開始された後であって、着信データの着信順による表示が行われる前に、上記第２の操作手段により表示モードの切換えが可能であり、その第２の操作手段により表示モードの切り換えが指示された場合に、上記記憶手段に記憶された着信データを着信番号順に並び替えた後、当該着信データを着信番号順に読み出して上記表示手段に表示させる第２の着信データ表示制御手段と、して機能させるためのプログラムを記憶したことを特徴としている。
【００３２】
この記憶媒体によれば、記憶されたプログラムに基づいてをコンピュータを動作させることにより、請求項１に記載の通信装置の動作を実現することができる。
【００３３】
さらに、請求項９に記載した発明の記憶媒体は、通信回線を介して呼出信号を受信する毎に、当該通信回線から送信される発識別信号から着信番号を取得するとともに、現在日時を計時する計時手段から上記呼出信号を受信した受信日時を取得し、少なくとも上記着信番号及び上記受信日時からなる着信データを着信履歴データとして所定件数分、順次、記憶手段に記憶させる着信データ記憶手段と、上記記憶手段に記憶された着信データの表示手段への表示を指示するための第１の操作手段と、上記記憶手段に記憶された着信データを検索する検索モードに切換設定するための第３の操作手段と、上記着信データを検索するためのデータを入力するための入力手段とを備えた通信装置を制御するコンピュータに実行させるためのプログラムを記憶したコンピュータ読み取り可能な記憶媒体であって、上記コンピュータを、上記第１の操作手段により上記着信データの表示が指示されると、上記記憶手段に記憶された着信データを着信順に読み出して上記表示手段に表示させる第１の着信データ表示制御手段と、上記第１の着信データ表示制御手段による上記着信データの表示処理が開始された後であって、着信データの着信順による表示が行われる前に、上記第３の操作手段により検索モードへの切換えが可能であり、その第３の操作手段により検索モードへの切り換えが指示されるとともに、上記入力手段により検索用のデータが入力されると、上記記憶手段に記憶された着信データの中から当該データを含む着信データを検索する着信データ検索手段と、上記着信データ検索手段により検索結果として得られた着信データを上記表示手段に表示させる検索結果表示制御手段と、して機能させるためのプログラムを記憶したことを特徴としている。
【００３４】
この記憶媒体によれば、記憶されたプログラムに基づいてコンピュータを動作させることにより、請求項３に記載の通信装置の動作を実現することができる。
【００３５】
また、請求項１０に記載した発明の記憶媒体は、通信回線を介して発呼信号が発信される毎に、当該発呼信号から発信番号を取得するとともに、現在日時を計時する計時手段から上記発呼信号を発信した発信日時を取得し、少なくとも上記発信番号及び上記発信日時からなる発信データを発信履歴データとして所定件数分、順次、記憶手段に記憶させる発信データ記憶手段と、上記記憶手段に記憶された発信データの表示手段への表示を指示するための第４の操作手段と、上記記憶手段に記憶された発信データを発信番号順に表示させる表示モードに切換設定するための第５の操作手段とを備えた通信装置を制御するコンピュータに実行させるためのプログラムを記憶したコンピュータ読み取り可能な記憶媒体であって、上記コンピュータを、上記第４の操作手段により上記発信データの表示が指示されると、上記記憶手段に記憶された発信データを発信順に読み出して上記表示手段に表示させる第１の発信データ表示制御手段と、上記第１の発信データ表示制御手段による上記発信データの表示処理が開始された後であって、発信データの発信順による表示が行われる前に上記第５の操作手段により表示モードの切換えが可能であり、その第５の操作手段により表示モードの切換えが指示された場合に、上記記憶手段に記憶された発信データを発信番号順に並び替えた後、当該発信データを発信番号順に読み出して上記表示手段に表示させる第２の発信データ表示制御手段と、して機能させるためのプログラムを記憶したことを特徴としている。
【００３６】
この記憶媒体によれば、記憶されたプログラムに基づいてコンピュータを動作させることにより、請求項４に記載の通信装置の動作を実現することができる。
【００３７】
さらに、請求項１１に記載した発明の記憶媒体は、通信回線を介して発呼信号が発信される毎に、当該発信信号から発信番号を取得するとともに、現在日時を計時する計時手段から上記発呼信号を発信した発信日時を取得し、少なくとも上記発信番号及び上記発信日時からなる発信データを発信履歴データとして所定件数分、順次、記憶手段に記憶させる発信データ記憶手段と、上記記憶手段に記憶された発信データの表示手段への表示を指示するための第４の操作手段と、上記記憶手段に記憶された発信データを発信番号順に表示させる表示モードに切換設定するための第５の操作手段と、上記記憶手段に記憶された発信データを検索する検索モードに切換設定するための第６の操作手段と、上記発信データを検索するためのデータを入力するための入力手段とを備えた通信装置を制御するコンピュータに実行させるためのプログラムを記憶したコンピュータ読み取り可能な記憶媒体であって、上記コンピュータを、上記第４の操作手段により上記発信データの表示が指示されると、上記記憶手段に記憶された発信データを発信順に読み出して上記表示手段に表示させる第１の発信データ表示制御手段と、上記第１の発信データ表示制御手段による上記発信データの表示処理が開始された後であって、発信データの発信順による表示が行われる前に、上記第６の操作手段により検索モードへの切換えが可能であり、その第６の操作手段により検索モードへの切換えが指示されるとともに、上記入力手段により検索用のデータが入力されると、上記記憶手段に記憶された発信データの中から当該データを含む発信データを検索する発信データ検索手段と、上記発信データ検索手段により検索結果として得られた発信データを上記表示手段に表示させる検索結果表示制御手段と、して機能させるためのプログラムを記憶したことを特徴としている。
【００３８】
この記憶媒体によれば、記憶されたプログラムに基づいてコンピュータを動作させることにより、請求項６に記載の通信装置の動作を実現することができる。
【００３９】
【発明の実施の形態】
以下、本発明の好ましい実施の形態について図面を参照して具体的に説明する。
【００４０】
図１は、本発明にかかる通信装置の一実施形態として、ファクシミリ電話装置の使用形態を示した説明図である。この図に示すように、ファクシミリ電話装置は、コードレス送受信機能を備えたファクシミリ装置本体Ａと、そのファクシミリ装置本体Ａとの間でコードレス送受信機能に基づいて各種信号を送受信する子機電話装置Ｂとを具備して構成されている。これらファクシミリ装置本体Ａおよび子機電話装置Ｂのそれぞれには、電話番号や設定コマンドなどをキー入力するためのキースイッチ群Ａ１，Ｂ１が設けられているとともに、各種の情報を表示するための液晶などからなるディスプレイＡ２，Ｂ２が設けられている。なお、本発明にかかる通信装置の特徴的機能は、上記ファクシミリ装置本体Ａ、子機電話装置Ｂのいずれにも備えられており、その構成、動作については、両装置Ａ，Ｂとも本質的に同一であることから、ファクシミリ装置本体Ａについて以下に説明する。
【００４１】
図２は、図１に示すファクシミリ装置本体Ａの回路構成を示した回路ブロック図であって、この図に示すように、ファクシミリ装置本体Ａは、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、印字部１２、操作部１３、表示部１４、コードレス送受信部１５、および時計部１６を具備して構成されている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線により相互に接続されている。バス線には、アドレスバス、データバス、および制御信号線が含まれる。ゲートアレイ７には、読取部１１、印字部１２、操作部１３、表示部１４、コードレス送受信部１５、および時計部１６が接続されている。ＮＣＵ２には、通信回線の一例としての公衆電話回線２１が接続されている。
【００４２】
ＣＰＵ１は、ファクシミリ装置本体Ａ全体を制御する。ＮＣＵ２は、送受話器やフックスイッチ回路、さらにラインリレーや呼出音鳴動回路などを備えており、公衆電話回線２１に接続されて網制御を行うことで、呼出信号の受信に応じて呼出音を鳴動させたり、発呼信号の発信を制御する。ＲＡＭ３は、充電電池などにより電源バックアップが施されており、通信処理などに関連した各種データを記憶する。モデム４は、通信データの変調や復調などを行う。ＲＯＭ５は、各種のプログラムや初期設定値などのデータを記憶している。ＥＥＰＲＯＭ６は、各種のフラグや通信に関連するデータなどを記憶する。ゲートアレイ７は、ＣＰＵ１の入出力インターフェースとして機能する。コーデック８は、ファクシミリ通信データの符号化や復号化を行う。ＤＭＡＣ９は、ＲＡＭ３へのデータの書き込みや読み出しを行う。
【００４３】
読取部１１は、光源やイメージセンサなどを備えており、原稿用紙から画像を読み取って画像信号を出力する。印字部１２は、たとえばインクジェット方式などの印字出力機器を備えており、受信画像やコピー時の読取画像などを記録用紙上に印字するとともに、通信履歴レポートを印字出力する。操作部１３は、上記したキースイッチ群Ａ１などを備えており、キー入力に応じた電話番号や設定コマンドなどを信号として出力する。表示部１４は、上記したディスプレイＡ２を備えており、ＣＰＵ１により制御されて各種のデータを表示出力する。コードレス送受信部１５は、無線送受信回路などを備えており、上記した子機電話装置Ｂとの間で各種情報を無線方式で送受信する。時計部１６は、現在日時を計時する時計回路などを備えており、受信日時や発信日時を取得するために用いられる。なお、公衆電話回線２１においては、ＮＤＳが提供されており、ファクシミリ装置本体Ａおよび子機電話装置Ｂは、ともにＮＤＳに対応したサービス機能を備えている。つまり、加入者端末装置から発呼信号が発信されると、公衆電話回線２１を通じて相手先端末装置に呼出信号が送られるとともに、その呼出信号とともに発信元電話番号（着信番号）を内容とした発識別信号も送られる。ここでいう呼出信号および発識別信号は、発信元から直接公衆電話回線２１を通じて送られるものではなく、局内交換機を介して通知される信号であり、このような信号を受信可能なファクシミリ装置本体Ａおよび子機電話装置Ｂには、着信番号を記憶する機能が備えられている。
【００４４】
本発明の要点となる機能に着目して説明すると、まず、公衆電話回線２１とラインリレーとの間においてＮＣＵ２が発信元からの呼出信号を受信した場合、その呼出信号に応じてＮＣＵ２が呼出音を鳴動させる。この際、ＣＰＵ１は、ＮＣＵ２が呼出信号とともに発識別信号を受信したか否かを検知している。続いて、ＣＰＵ１は、発識別信号を受信したことを検知すると、モデム４を駆使してその発識別信号を復調させ、呼出信号の発信元を示す着信番号を取得する。取得された着信番号は、ＣＰＵ１により一旦ＲＡＭ３に記憶されるとともに、表示部１４のディスプレイＡ２に表示される。この際、ＣＰＵ１は、呼出信号を受信した日時も時計部１６から取得して一旦ＲＡＭ３に記憶させている。その後、ＣＰＵ１は、呼出音の鳴動に応じて送受話器などが持ち上げられたか否かを、ＮＣＵ２のフックスイッチ回路を駆使して検知する。
【００４５】
以上のようにして得られた着信番号および受信日時は、着信履歴に関する着信データとしてＲＡＭ３に一時的に記憶され、この着信データは、受信件数ごとにＥＥＰＲＯＭ６の着信データ記憶エリアに記憶されることとなる。こうして着信データが記憶される着信データ記憶エリアには、着信データの記憶領域となるレコード部や記憶番地を示すアドレス部が設けられているとともに、その着信データの履歴順などを示すためのインデックスポインタ部が設けられている。そして、一のレコード部に対して着信データが書き込まれる際、そのレコード部に対応するインデックスポインタ部には、前後に記憶された着信データの記憶番地が記憶される。このようなインデックスポインタ部などで構成された履歴順を示す情報をチェーン情報という。着信データ記憶エリアに記憶された着信データは、待ち受け時などに使用者が所定の出力操作を行うことにより、表示部１４のディスプレイＡ２にて１件ずつスクロール表示されたり、あるいは印字部１２から着信履歴レポートとして一覧形式で印字されることとなる。
【００４６】
このようにして、着信データを表示または印字などによって出力する際、初期設定モードにおいては、ＣＰＵ１の制御動作によりＥＥＰＲＯＭ６に記憶された全ての着信データが一旦ＲＡＭ３に転送されるとともに、このＲＡＭ３から着信データを読み出す際に最新の履歴順に並べ替えられて出力される。この際、使用者が所定の機能キーを操作して初期設定モードから番号順出力モードに切り換えると、ＣＰＵ１は、着信番号の大きい順に着信データを並べ替えて出力させることとなる。
【００４７】
図３および図４は、着信データがスクロール表示される状態を示した説明図であって、図３に示すように、初期設定モードにおいては、スクロールキーなどを操作することで一の受信件数に対応する着信データＤ１〜Ｄ５が順にスクロール表示され、その表示順序および内容は、最新の履歴順に並べられた着信番号および受信日時となる。一方、図４に示すように、番号順出力モードが選択されると、図３と同様にして次々と着信データＤ１〜Ｄ５がスクロール表示されるが、その表示順序および内容は、着信番号の大きい順、Ｄ１，Ｄ４，Ｄ３，Ｄ２，Ｄ５の順に並べられた着信番号および受信日時となる。つまり、図に示すＤ１とＤ４、Ｄ２とＤ５のように、同一の着信番号を含む着信データＤ１〜Ｄ５が複数件数にわたってＥＥＰＲＯＭ６に記憶されている場合、番号順出力モードでは、着信番号の一致する着信データ（Ｄ１とＤ４、Ｄ２とＤ５）が次々に連続して表示されることとなる。なお、スクロール方向は、所定のキー操作に応じて反転させることができ、スクロール方向を反転させれば、表示順序が逆転することとなり、その結果、古い履歴順に着信データが表示されたり、あるいは着信番号の小さい順に着信データが表示されることとなる。また、表示順序が最後とされた着信データをさらにスクロール表示させれば、全ての着信データが一巡して最初の着信データが表示されることとなる。さらに、着信データが着信履歴レポートとして印字される場合、その印字結果には、図３および図４に示すような履歴順または着信番号順に並べられた全ての着信データが一覧形式で表されることとなる。
【００４８】
これに対し、着信データの出力に際して、使用者が所定の検索キーを操作すると、検索入力モードが選択された状態となり、それに続いて使用者が所望の特定番号をキー入力して検索を実行させると、ＣＰＵ１は、その特定番号を含む着信データを着信データ記憶エリアから検索するとともに、検索結果として得られた着信データは、表示部１４のディスプレイＡ２に表示されることとなる。
【００４９】
以上のような各種の出力形式によって着信データが表示された後、使用者により発信ボタンなどが操作されると、ＣＰＵ１は、表示された着信データに含まれる着信番号を相手先に対する発呼信号として発信する処理を行う。また、着信データ表示後、使用者によって削除ボタンなどが操作されると、ＣＰＵ１は、表示された着信データをＥＥＰＲＯＭ６の着信データ記憶エリアから削除する処理を行うこととなる。
【００５０】
さらに、上記した着信データに関する出力制御処理と同様にして、発信データについても出力制御処理が行われる。
【００５１】
つまり、ＮＣＵ２を通じて公衆電話回線２１上に発呼信号が発信された場合、ＣＰＵ１は、ＮＣＵ２から発呼信号が発信されたことを検知する。続いて、ＣＰＵ１は、発呼信号の発信を検知すると、その発呼信号の内容となる発呼先の電話番号（発信番号）を取得する。取得された発信番号は、ＣＰＵ１により一旦ＲＡＭ３に記憶されるとともに、表示部１４のディスプレイＡ２に表示される。この際、ＣＰＵ１は、発呼信号を発信した日時も時計部１６から取得して一旦ＲＡＭ３に記憶させている。その後、ＣＰＵ１は、発呼先の端末装置との回線接続状況を監視する回線監視処理を行う。
【００５２】
以上のようにして得られた発信番号および発信日時は、発信履歴に関する発信データとしてＲＡＭ３に一時的に記憶され、この発信データは、発信件数ごとにＥＥＰＲＯＭ６の発信データ記憶エリアに記憶されることとなる。この発信データ記憶エリアは、先述の着信データ記憶エリアと同様のメモリ空間を有しており、発信データ記憶エリアに記憶された発信データは、先述の着信データに関する操作と同様の操作により、表示部１４のディスプレイＡ２にて１件ずつスクロール表示されたり、あるいは印字部１２から発信履歴レポートとして一覧形式で印字されることとなる。
【００５３】
このようにして、発信データを表示または印字などによって出力する際、初期設定モードにおいては、ＣＰＵ１の制御動作によりＥＥＰＲＯＭ６に記憶された全ての発信データが一旦ＲＡＭ３に転送されるとともに、このＲＡＭ３から発信データを読み出す際に最新の履歴順に並べ替えられて出力される。この際、使用者が所定の機能キーを操作して初期設定モードから番号順出力モードに切り換えると、ＣＰＵ１は、発信番号の大きい順に発信データを並べ替えて出力させることとなる。そうして表示または印字された出力結果は、先述の図３および図４に示す着信データと同様の状態となる。
【００５４】
また、発信データの出力に際して、使用者が所定の検索キーを操作すると、検索入力モードが選択された状態となり、それに続いて使用者が所望の特定番号をキー入力して検索を実行させると、ＣＰＵ１は、その特定番号を含む発信データを発信データ記憶エリアから検索するとともに、検索結果として得られた発信データは、表示部１４のディスプレイＡ２に表示されることとなる。
【００５５】
以上のような各種の出力形式によって発信データが表示された後、使用者により発信ボタンなどが操作されると、ＣＰＵ１は、表示された発信データに含まれる発信番号を相手先に対する発呼信号として再発信する処理を行う。また、発信データ表示後、使用者によって削除ボタンなどが操作されると、ＣＰＵ１は、表示された発信データをＥＥＰＲＯＭ６の発信データ記憶エリアから削除する処理を行うこととなる。
【００５６】
すなわち、着信データに関して、ＥＥＰＲＯＭ６は、受信時に得られた発信元コードを含む情報を着信データとして所定件数分にわたり記憶する記憶手段を実現している。
【００５７】
表示部１４および印字部１２は、着信データを出力する出力手段を実現している。
【００５８】
ＣＰＵ１は、出力手段によって着信データを出力させる際、発信元コードのコード順に着信データを並び替える着信データ並び替え手段と、着信データ並び替え手段による並び替え順序に基づいて、着信データを出力手段に出力させる着信データ出力制御手段とを実現している。また、ＣＰＵ１は、出力手段によって着信データを出力させる際、使用者によって入力された特定のデータを含む着信データを検索する着信データ検索手段と、着信データ検索手段により検索結果として得られた着信データを出力手段に出力させる着信検索結果出力制御手段とを実現している。
【００５９】
ＲＯＭ５は、通信回線を介して呼出信号を受信する際、発信元コードを内容とした信号の受信が可能であり、受信時に得られた上記発信元コードを含む情報を着信データとして所定件数分にわたり記憶手段に記憶させ、そうして記憶された着信データを出力手段により出力することができる通信装置を制御するためのプログラムを記憶した記憶媒体であって、上記出力手段によって着信データを出力させる際、上記発信元コードのコード順に上記着信データを並び替えるための着信データ並び替えプログラムと、上記着信データ並び替えプログラムを実行して得られた並び替え順序に基づいて、上記着信データを上記出力手段に出力させるための着信データ出力制御プログラムとを含むプログラムを記憶した記憶媒体を実現している。また、ＲＯＭ５は、通信回線を介して呼出信号を受信する際、発信元コードを内容とした信号の受信が可能であり、受信時に得られた上記発信元コードを含む情報を着信データとして所定件数分にわたり記憶手段に記憶させ、そうして記憶された着信データを出力手段により出力することができる通信装置を制御するためのプログラムを記憶した記憶媒体であって、上記出力手段によって着信データを出力させる際、使用者によって入力された特定のデータを含む上記着信データを検索するための着信データ検索プログラムと、上記着信データ検索プログラムの実行により検索結果として得られた着信データを上記出力手段に出力させるための着信検索結果出力制御プログラムとを含むプログラムを記憶した記憶媒体を実現している。
【００６０】
一方、発信データに関して、ＥＥＰＲＯＭ６は、発信時に送出された発呼先コードを含む情報を発信データとして所定件数分にわたり記憶する記憶手段を実現している。
【００６１】
表示部１４および印字部１２は、発信データを出力する出力手段を実現している。
【００６２】
ＣＰＵ１は、出力手段によって発信データを出力させる際、発呼先コードのコード順に発信データを並び替える発信データ並び替え手段と、発信データ並び替え手段による並び替え順序に基づいて、発信データを出力手段に出力させる発信データ出力制御手段とを実現している。また、ＣＰＵ１は、出力手段によって発信データを出力させる際、使用者によって入力された特定のデータを含む発信データを検索する発信データ検索手段と、発信データ検索手段により検索結果として得られた発信データを出力手段に出力させる発信検索結果出力制御手段とを実現している。
【００６３】
ＲＯＭ５は、通信回線を介して発呼信号を発信する際、発呼先コードを内容とした信号の送出が可能であり、発信時に送出された上記発呼先コードを含む情報を発信データとして所定件数分にわたり記憶手段に記憶させ、そうして記憶された発信データを出力手段により出力することができる通信装置を制御するためのプログラムを記憶した記憶媒体であって、上記出力手段によって発信データを出力させる際、上記発呼先コードのコード順に上記発信データを並び替えるための発信データ並び替えプログラムと、上記発信データ並び替えプログラムを実行して得られた並び替え順序に基づいて、上記発信データを上記出力手段に出力させるための発信データ出力制御プログラムとを含むプログラムを記憶した記憶媒体を実現している。また、ＲＯＭ５は、通信回線を介して発呼信号を発信する際、発呼先コードを内容とした信号の送出が可能であり、発信時に送出された上記発呼先コードを含む情報を発信データとして所定件数分にわたり記憶手段に記憶させ、そうして記憶された発信データを出力手段により出力することができる通信装置を制御するためのプログラムを記憶した記憶媒体であって、上記出力手段によって発信データを出力させる際、使用者によって入力された特定のデータを含む上記発信データを検索するための発信データ検索プログラムと、上記発信データ検索プログラムの実行により検索結果として得られた発信データを上記出力手段に出力させるための発信検索結果出力制御プログラムとを含むプログラムを記憶した記憶媒体を実現している。
【００６４】
次に、ファクシミリ装置本体Ａにおける着信データに関する処理、および発信データに関する処理動作について、図面を参照して詳細に説明する。
【００６５】
図５は、受信処理時におけるＣＰＵ１の動作手順を示したフローチャートであって、まず最初に、ＣＰＵ１は、公衆電話回線２１の極性反転に続いてＮＣＵ２が端末起動信号を受信することにより受信処理を開始させている。
【００６６】
受信処理が開始されると、ＣＰＵ１は、端末起動信号の受信に応じてラインリレーが接点を閉結することにより、ＮＣＵ２が発識別信号を受信したか否かを判別している（Ｓ１）。
【００６７】
発識別信号を受信した場合（Ｓ１：ＹＥＳ）、ＣＰＵ１は、受信した発識別信号をモデム４により復調させることで、その発識別信号から着信番号を取得する（Ｓ２）。
【００６８】
着信番号を取得したＣＰＵ１は、発識別信号の受信完了を示す受信完了信号をＮＣＵ２により送出させる（Ｓ３）。これにより、発信元に対して課金されることのない一次応答処理が完了する。
【００６９】
この際、ＣＰＵ１は、取得した着信番号をＲＡＭ３に一旦記憶させるとともに（Ｓ４）、表示部１４のディスプレイＡ２にその着信番号を表示させる（Ｓ５）。
【００７０】
続いて、ＮＣＵ２が呼出信号を受信することにより、ＣＰＵ１は、時計部１６から受信日時を取得してＲＡＭ３に一旦記憶させる（Ｓ６）。このようにしてＲＡＭ３に一時的に記憶された着信番号および受信日時は、着信履歴を示すための着信データとして取り扱われることとなる。
【００７１】
さらに、ＣＰＵ１は、呼出信号の受信に応じてＮＣＵ２を駆使することで呼出音を鳴動させる（Ｓ７）。
【００７２】
そうして、呼出音の鳴動とともに着信番号がディスプレイＡ２に表示されると、ＣＰＵ１は、ＮＣＵ２のフックスイッチ回路からのフック信号に基づいて、オフフック状態であるか否かを検知する（Ｓ８）。つまり、ＣＰＵ１は、送受話器などが持ち上げられることで呼出信号の受信に応じて応答したか否かを検知している。
【００７３】
オフフック状態であることが検知された場合（Ｓ８：ＹＥＳ）、ＣＰＵ１は、呼出音の鳴動を停止させるとともに（Ｓ９）、フックスイッチ回路を介して回線が閉結されたことを検知する（Ｓ１０）。
【００７４】
このようにして回線閉結を検知したＣＰＵ１は、受信処理に関するプログラムの実行を終了し、続いて回線接続状況を監視する処理に移行する（Ｓ１１）。このＳ１１の処理が開始されることにより、双方向通話などが可能な発信元に対して課金された状態の二次応答処理が開始される。
【００７５】
Ｓ１１の処理を開始した後、ＣＰＵ１は、再びフックスイッチ回路からのフック信号に基づいて、今度はオンフック状態であるか否かを検知する（Ｓ１２）。つまり、ＣＰＵ１は、送受話器などが置かれることで回線が開放された状態であるか否かを検知している。
【００７６】
オンフック状態であることが検知された場合（Ｓ１２：ＹＥＳ）、ＣＰＵ１は、ＮＣＵ２のフックスイッチ回路を介して回線が開放されたことを検知する（Ｓ１３）。
【００７７】
このようにして回線開放が検知された直後、ＣＰＵ１は、ＲＡＭ３に記憶された着信番号および受信日時を内容とする着信データを、ＥＥＰＲＯＭ６の着信データ記憶エリアに記憶させる処理を行い（Ｓ１４）、その後、この着信処理に関する一連の処理動作を終了する。
【００７８】
Ｓ１２において、オンフック状態とされることなく回線接続された状態が継続される場合（Ｓ１２：ＮＯ）、ＣＰＵ１は、Ｓ１１に戻って回線接続状況の監視を続ける。
【００７９】
Ｓ８において、オフフック状態とされない場合（Ｓ８：ＮＯ）、つまり、呼出信号の受信に応じて応答しない場合、ＣＰＵ１は、Ｓ７に戻って呼出音の鳴動を続行させる。
【００８０】
Ｓ１において、発識別信号を受信しなかった場合（Ｓ１：ＮＯ）、たとえば、発信元の端末装置が公衆電話であったり、あるいはＮＤＳに基づく電話番号の通知が不可とされていた場合、ＣＰＵ１は、Ｓ６にジャンプしてそれ以降の処理動作を行う。この場合、発信元の電話番号は、通知されない状態であるので、着信番号がＲＡＭ３に記憶されることなく、着信データの内容には、着信番号無しとして受信日時のみが含まれることとなる。
【００８１】
以上説明した受信処理に関する処理動作中においては、発信元の端末装置がオンフック状態とされることで、トーン信号などの回線切断信号を受信する場合がある。このような回線切断信号を受信した場合、ＣＰＵ１は、回線切断信号を受信するまでに行っていた処理動作を中止して割込処理を行う。この割込処理が開始されると、ＣＰＵ１は、割込処理が開始されるまでに行っていた処理動作、たとえば呼出音鳴動などの処理動作を停止させた後、上記したＳ１４の着信データ記憶処理を実行することとなる。
【００８２】
以上の受信処理によってＥＥＰＲＯＭ６に記憶された着信データは、待ち受け待機時などにおける使用者の操作に応じて、表示部１４のディスプレイＡ２に表示されることとなる。
【００８３】
図６は、着信データの表示処理手順を示したフローチャートであって、ＥＥＰＲＯＭ６の着信データ記憶エリアに複数件数分の着信データが記憶されている状態で、待機状態のＣＰＵ１は、この着信データに関する表示処理を割込処理として実行する。
【００８４】
まず、ＣＰＵ１は、使用者によって着信履歴に対応した所定のキーが押下されたか否かを判断している（Ｓ２１）。
【００８５】
着信履歴に対応した所定のキーが押下されると（Ｓ２１：ＹＥＳ）、ＣＰＵ１は、ＥＥＰＲＯＭ６の着信データ記憶エリアに複数件数分にわたって既に記憶されている着信データ全てをＲＡＭ３に転送して一時的に記憶させる（Ｓ２２）。この際、ＲＡＭ３には、着信データとともに各着信データの履歴順を示すためのチェーン情報も記憶される。
【００８６】
そうして、ＲＡＭ３に着信データなどが転送されると、ＣＰＵ１は、初期設定モードに移行し（Ｓ２３）、この初期設定モードが開始されると、ＣＰＵ１は、使用者によって機能キーが押下されたか否かを判断する（Ｓ２４）。
【００８７】
機能キーが押下されることなく初期設定モードが継続される場合（Ｓ２４：ＮＯ）、ＣＰＵ１は、チェーン情報に基づいてＲＡＭ３から履歴順に着信データを取り込みつつ、その着信データを表示部１４のディスプレイＡ２に表示させる処理を行う（Ｓ２５）。つまり、初期設定モードの開始直後、ディスプレイＡ２には、一例として図３に示すように、最新の着信データが最初のデータとして表示される。
【００８８】
このようなＳ２５の履歴順着信データ表示処理において、ＣＰＵ１は、使用者によりスクロールキーが押下されたか否かを判断している（Ｓ２６）。
【００８９】
スクロールキーが押下されると（Ｓ２６：ＹＥＳ）、ＣＰＵ１は、現時点で表示されている着信データに対して次順の着信データをＲＡＭ３から取り込んでディスプレイＡ２に表示させる（Ｓ２７）。つまり、履歴順着信データ表示処理が行われている状況では、次の履歴順に該当する着信データが表示されることとなる。なお、さらに続けてスクロールキーが押下されると、ＣＰＵ１は、スクロールキーの押下回数分だけＳ２６およびＳ２７と同様の処理を繰り返す。その結果、次々と履歴順に着信データが表示されることとなるが、このフローチャートにおいては、そのような繰り返し動作を便宜上省略する。
【００９０】
以上のようにして所望の着信データがディスプレイＡ２に表示された状態で、ＣＰＵ１は、使用者により発信ボタンが押下されたか否かを判断している（Ｓ２８）。
【００９１】
発信ボタンが押下された場合（Ｓ２８：ＹＥＳ）、ＣＰＵ１は、その時点で表示されている着信データに含まれる着信番号を発呼信号として発信する処理を行い（Ｓ２９）、この着信データ表示処理を終了する。これにより、着信履歴として残された所定件数分の着信データから所望の着信番号を探し出し、その着信番号を有する相手先に対して簡単に発信することができる。
【００９２】
Ｓ２８において、発信ボタンが押下されない場合（Ｓ２８：ＮＯ）、ＣＰＵ１は、さらに使用者によって削除ボタンが押下されたか否かを判断している（Ｓ３０）。
【００９３】
削除ボタンが押下された場合（Ｓ３０：ＹＥＳ）、ＣＰＵ１は、その時点で表示されている着信データをＲＡＭ３およびＥＥＰＲＯＭ６から削除する処理を行う。これにより、着信履歴として残された所定件数分の着信データから所望の着信番号を探し出し、その着信番号を残す必要のない番号として簡単に削除することができる。
【００９４】
Ｓ３０において、削除ボタンが押下されない場合（Ｓ３０：ＮＯ）、ＣＰＵ１は、Ｓ２７の着信データを表示させる処理を続行する。
【００９５】
Ｓ２６において、スクロールキーが押下されない場合（Ｓ２６：ＮＯ）、ＣＰＵ１は、次順の着信データを表示させることなく、Ｓ２５に戻って着信データを表示させる処理を続行する。なお、スクロールキーが押下されることなく着信データが表示されている場合であっても、勿論Ｓ２８以降のボタン操作に伴う処理は、実行可能とされている。
【００９６】
Ｓ２４において、使用者によって機能キーが押下された場合（Ｓ２４）、ＣＰＵ１は、初期設定モードの実行を中断し、さらに機能キーに続けてモード切換キーが押下されたか、または検索キーが押下されたかを判断する（Ｓ３２）。
【００９７】
モード切換キーが押下された場合（Ｓ３２：ＹＥＳ）、ＣＰＵ１は、番号順出力モードを開始する（Ｓ３３）。
【００９８】
この番号順出力モードが開始されると、ＣＰＵ１は、ＲＡＭ３に読み込んだ着信データを着信番号順に並び替えるとともに、その着信データを番号順に表示部１４のディスプレイＡ２に表示させる処理を行う（Ｓ３４）。つまり、番号順出力モードの開始直後、ディスプレイＡ２には、一例として図４に示すように、着信番号の一番大きい着信データが最初のデータとして表示される。
【００９９】
このようなＳ３４の番号順着信データ表示処理において、ＣＰＵ１は、使用者によりスクロールキーが押下されたか否かを判断している（Ｓ３５）。
【０１００】
スクロールキーが押下されると（Ｓ３５：ＹＥＳ）、ＣＰＵ１は、Ｓ２７に移行して現時点で表示されている着信データに対して次順の着信データをディスプレイＡ２に表示させる処理を行う。つまり、番号順着信データ表示処理が行われている状況では、次の番号順に該当する着信データが表示されることとなる。なお、さらに続けてスクロールキーが押下されると、ＣＰＵ１は、スクロールキーの押下回数分だけＳ３５およびＳ２７と同様の処理を繰り返す。その結果、次々と着信番号順に着信データが表示されることとなるが、このフローチャートにおいては、そのような繰り返し動作を便宜上省略する。
【０１０１】
Ｓ３５において、スクロールキーが押下されない場合（Ｓ３５：ＮＯ）、ＣＰＵ１は、次順の着信データを表示させることなく、Ｓ３４に戻って着信データを表示させる処理を続行する。なお、スクロールキーが押下されることなく着信データが表示されている場合であっても、勿論Ｓ２８以降のボタン操作に伴う処理は、実行可能とされている。
【０１０２】
Ｓ３２において、検索キーが押下された場合（Ｓ３２：ＮＯ）、ＣＰＵ１は、図７に示すＣの検索処理に移行する。なお、図７については、後述する。
【０１０３】
Ｓ２１において、着信履歴に対応した所定のキーが押下されない場合（Ｓ２１：ＮＯ）、ＣＰＵ１は、着信データ表示処理を開始することなく待機状態となる。
【０１０４】
図７は、着信データの検索処理手順を示したフローチャートであって、この図に示す検索処理Ｃは、図６に示すＳ３２において検索キーが押下されることで開始される。
【０１０５】
まず、ＣＰＵ１は、検索処理Ｃにおいて検索入力モードを開始し（Ｓ４１）、それに続いて使用者により所望の特定番号が入力されて確定されたか否かを判断している（Ｓ４２）。
【０１０６】
特定番号の入力が確定すると（Ｓ４２：ＹＥＳ）、ＣＰＵ１は、ＲＡＭ３に読み込まれた複数件数分の着信データからその特定番号を一部分に含む、あるいは特定番号に一致する着信番号を検索する処理を実行する（Ｓ４３）。この際、複数件数あるいは一件の着信データが検索結果として得られる場合と、該当する着信データなしとした検索結果が得られる場合とが想定される。
【０１０７】
こうして検索結果が得られると、ＣＰＵ１は、その検索結果を表示させる処理を行う（Ｓ４４）。つまり、複数件数あるいは一件の着信データが検索結果として得られた場合、ディスプレイＡ２には、該当する一件分の着信データが最初に表示され、一方、該当する着信データがない場合、ディスプレイＡ２には、その旨のメッセージなどが表示される。
【０１０８】
このようなＳ４４の検索結果表示処理において、ＣＰＵ１は、使用者によりスクロールキーが押下されたか否かを判断している（Ｓ４５）。
【０１０９】
スクロールキーが押下されると（Ｓ４５：ＹＥＳ）、ＣＰＵ１は、現時点で表示されている検索結果に対して次順の検索結果をディスプレイＡ２に表示させる（Ｓ４６）。なお、Ｓ４６〜Ｓ５０までの処理については、先述の図６に示すＳ２７〜Ｓ３１までの処理と同様であるため、その説明を省略する。
【０１１０】
Ｓ４５において、スクロールキーが押下されない場合（Ｓ４５：ＮＯ）、ＣＰＵ１は、次順の検索結果を表示させることなく、Ｓ４４に戻って着信データを表示させる処理を続行する。なお、スクロールキーが押下されることなく着信データが表示されている場合であっても、勿論Ｓ４７以降のボタン操作に伴う処理は、実行可能とされている。
【０１１１】
Ｓ４２において、特定番号の入力が確定されない場合（Ｓ４２：ＮＯ）、ＣＰＵ１は、使用者によって特定番号の入力が確定されるまでＳ４２の判断を繰り返し行う。
【０１１２】
以上説明したＳ２５〜Ｓ２７の履歴順着信データ表示処理、Ｓ３４，Ｓ３５，Ｓ２７の番号順着信データ表示処理、およびＳ４４〜Ｓ４６の検索結果表示処理を実行している最中は、機能キーを押下することで他のモードに切り換え可能とされている。たとえば、Ｓ３４において再び機能キーが押下され、それに続いてモード切換キーが押下されると、初期設定モードに切り替わることとなる。
【０１１３】
したがって、上記した構成、動作を有するファクシミリ装置本体Ａによれば、ＥＥＰＲＯＭ６に記憶された所定件数分の着信データから所望の着信番号についての着信履歴のみを確認したい場合、番号順に並び替えた順序に応じて着信データが表示されるので、所望する着信番号が複数件数分にわたってＥＥＰＲＯＭ６に記憶されており、しかも、その着信番号に前後して別の着信番号を含む着信データが残されている場合であっても、表示結果としては、所望の着信番号を含む着信データが連続してスクロール表示されることとなり、その結果、着信履歴として残された所望の着信番号を効率良く確認することができる。
【０１１４】
また、着信番号の一部分を特定の番号として検索すると、その特定番号を含む着信データが検索結果として表示され、そうして検索結果が表示されると、所望の着信番号を含む着信データが連続してスクロール表示されることとなるので、着信履歴として残る所望の着信番号を効率良く探し出して確認することができる。
【０１１５】
以上のような受信処理の場合に対して、図８は、発信処理時におけるＣＰＵ１の動作手順を示したフローチャートであって、まず、ＣＰＵ１は、使用者が操作部１３における数字ボタンや登録ボタンなどをキー入力することによって、発信番号が入力されたか否かを判断している（Ｓ５１）。
【０１１６】
発信番号が入力されると（Ｓ５１：ＹＥＳ）、ＣＰＵ１は、入力された発信番号を表示部１４のディスプレイＡ２に表示させる（Ｓ５２）。
【０１１７】
その表示後、ＣＰＵ１は、操作部１３の発信ボタンなどが操作されたり、あるいは送受話器などが持ち上げられた状態であるか、すなわち、オフフック状態であるか否かを検知する（Ｓ５３）。
【０１１８】
オフフック状態であることが検知された場合（Ｓ５３：ＹＥＳ）、ＣＰＵ１は、ＮＣＵ２のフックスイッチ回路を介して回線が閉結されたことを検知する（Ｓ５４）。
【０１１９】
回線が閉結されたことを検知した直後、ＣＰＵ１は、入力された発信番号を発呼信号としてＮＣＵ２を介して公衆電話回線２１上に送出する（Ｓ５５）。
【０１２０】
そうして発呼信号が送出されると、ＣＰＵ１は、その発呼信号の内容に含まれる発信番号をＲＡＭ３に一旦記憶させる（Ｓ５６）。
【０１２１】
それに続いて、ＣＰＵ１は、時計部１６から発信日時を取得してＲＡＭ３に一旦記憶させる（Ｓ５７）。このようにしてＲＡＭ３に一時的に記憶された発信番号および発信日時は、発信履歴を示すための発信データとして取り扱われることとなる。
【０１２２】
そうして回線閉結を検知した後、発信データを取得したＣＰＵ１は、発信処理に関するプログラムの実行を終了し、続いて回線接続状況を監視する処理に移行する（Ｓ５８）。このＳ５８の処理において、ＣＰＵ１は、交換機から送信されてくる呼出音（リングバックトーン）や話中音（ビジートーン）を検出している。このような呼出音や話中音などのトーン信号が検出されなくなると、双方向通話などが可能な状態となる。
【０１２３】
Ｓ５８の処理を開始した後、ＣＰＵ１は、再びフックスイッチ回路からのフック信号に基づいて、今度はオンフック状態であるか否かを検知する（Ｓ５９）。つまり、ＣＰＵ１は、送受話器などが置かれることで回線が開放された状態であるか否かを検知している。
【０１２４】
オンフック状態であることが検知された場合（Ｓ５９：ＹＥＳ）、ＣＰＵ１は、ＮＣＵ２のフックスイッチ回路を介して回線が開放されたことを検知する（Ｓ６０）。
【０１２５】
このようにして回線開放が検知された直後、ＣＰＵ１は、ＲＡＭ３に記憶された発信番号および発信日時を内容とする発信データを、ＥＥＰＲＯＭ６の発信データ記憶エリアに記憶させる処理を行い（Ｓ４１）、その後、この発信処理に関する一連の処理動作を終了する。
【０１２６】
Ｓ５９において、オンフック状態とされることなく回線接続された状態が継続される場合（Ｓ５９：ＮＯ）、ＣＰＵ１は、Ｓ５８に戻って回線接続状況の監視を続ける。
【０１２７】
Ｓ５３において、オフフック状態とされない場合（Ｓ５３：ＮＯ）、つまり、回線接続のための操作が何らなされない場合、ＣＰＵ１は、Ｓ５２に戻って入力された発信番号の表示を繰り返し行う。
【０１２８】
Ｓ５１において、発信番号が入力されない場合（Ｓ５１：ＮＯ）、ＣＰＵ１は、Ｓ５３の処理と同様にしてオフフック状態であるか否かを検知する（Ｓ６２）。
【０１２９】
オフフック状態であることが検知された場合（Ｓ６２：ＹＥＳ）、ＣＰＵ１は、ＮＣＵ２のフックスイッチ回路を介して回線が閉結されたことを検知する（Ｓ６３）。
【０１３０】
回線が閉結されたことを検知した後、ＣＰＵ１は、Ｓ５１の処理と同様にして発信番号が入力されたか否かを検知する（Ｓ６４）。
【０１３１】
発信番号が入力されると（Ｓ６４：ＹＥＳ）、ＣＰＵ１は、Ｓ５５以降の一連の処理動作を実行する。
【０１３２】
逆に、回線閉結を検知してから発信番号が入力されない場合（Ｓ６４：ＮＯ）、ＣＰＵ１は、所定時間の経過をカウントすることでタイムアウトと判断し（Ｓ６５：ＹＥＳ）、発信データを記憶させることなく、この発信処理に関するプログラムの実行を終了する。
【０１３３】
Ｓ６５において、タイムアウトと判断されない場合（Ｓ６５：ＮＯ）、ＣＰＵ１は、所定時間が経過するまでＳ６４の発信番号の入力を待ち続ける。
【０１３４】
以上の発信処理によってＥＥＰＲＯＭ６に記憶された発信データは、待ち受け待機時などにおける使用者の操作に応じて、表示部１４のディスプレイＡ２に表示されることとなる。その表示処理手順は、図６および図７に示した着信データの場合と同様であることから、その図示説明を省略する。
【０１３５】
したがって、発信データについても、上述の着信データの場合と同様の効果を得ることができる。
【０１３６】
なお、上記実施形態においては、着信番号に含まれる特定番号を検索対象として検索が実行されるが、他の実施形態として受信日時を検索対象として検索を実行する構成としても良い。
【０１３７】
また、着信データが一件ずつディスプレイＡ２上に表示されるとしたが、印字結果として出力される着信履歴レポートと同様に、全ての着信データがディスプレイＡ２上に一括表示されたり、あるいは複数件数分の着信データが同時に表示される構成であっても良い。
【０１３８】
さらに、他の実施形態としては、電話帳機能により相手先の電話番号をその相手先名称などに対応付けてＥＥＰＲＯＭ６にあらかじめ記憶しておき、ディスプレイＡ２に着信データを表示させる際、着信番号に一致する相手先電話番号がＥＥＰＲＯＭ６に記憶されていれば、ＣＰＵ１がＥＥＰＲＯＭ６から対応する相手先名称を読み出してディスプレイＡ２に表示させる構成としても良い。この場合、図６に示すＳ２５やＳ３４のように、履歴順や番号順に着信データを表示させる方式とは異なり、名称順に着信データを表示させる方式を採用することができる。また、そのような名称順の表示方式を採用した場合、共通の相手先に関する、たとえば「＊＊さんジタク」、「＊＊さんケイタイ」というような名称を含む着信データがまとめてスクロール表示されることとなり、確認したい相手先を容易に探し出すことが可能となる。一方、着信データの検索を行う場合には、所望の番号を直接キー入力することで検索対象を指定する以外に、相手先名称を検索対象としてキー入力する方法や、検索キーの操作後、相手先名称に対応付けられた短縮ダイヤルボタンなどを操作して検索結果を得る方法も考えられる。なお、このような他の実施形態は、発信データに適用することも勿論可能である。
【０１３９】
【発明の効果】
以上説明したように、請求項１に記載した発明の通信装置によれば、記憶手段に記憶された所定件数分の着信データから所望の着信番号についての着信履歴のみを確認したい場合、着信番号順に並び替えた順序に応じて着信データが表示されるので、所望する着信番号が複数件数分にわたって記憶手段に記憶されており、しかも、その着信番号に前後して別の着信番号を含む情報が着信データとして残されている場合であっても、表示結果としては、所望の着信番号を含む着信データが連続した状態となり、その結果、着信履歴として残された所望の着信データを効率良く確認することができる。
【０１４０】
【０１４１】
さらに、請求項２に記載した発明の通信装置によれば、請求項１に記載の通信装置による効果に加えて、あらかじめ識別コードに対応した相手先名称が記憶されている場合、その相手先名称が着信データとともに表示されるので、どの相手先から着信があったのかを容易に把握することができる。また、着信番号順に並び替えられた状態で表示された場合、相手先ごとにまとめて着信データが表示されることとなり、相手先からの着信データを容易に探すことができる。
【０１４２】
また、請求項３に記載した発明の通信装置によれば、記憶手段に記憶された所定件数分の着信データから所望の着信番号についての着信履歴のみを確認したい場合、たとえば、その着信番号の一部分を特定のデータとして入力すると、その特定のデータを含む着信データが検索結果として表示されるので、所望する着信番号が複数件数分にわたって記憶手段に記憶されており、しかも、その着信番号に前後して別の着信番号が着信データとして残されている場合であっても、検索による表示結果としては、所望の着信番号を含む着信データが連続した状態となり、その結果、着信履歴として残る所望の着信番号を効率良く探し出して確認することができる。
【０１４３】
さらに、請求項４に記載した発明の通信装置によれば、記憶手段に記憶された所定件数分の発信データから所望の発信番号についての発信履歴のみを確認したい場合、発信番号順に並び替えた順序に応じて発信データが表示されるので、所望する発信番号が複数件数分にわたって記憶手段に記憶されており、しかも、その発信番号に前後して別の発信番号を含む情報が発信データとして残されている場合であっても、表示結果としては、所望の発信番号を含む発信データが連続した状態となり、その結果、発信履歴として残された所望の発信番号を効率良く確認することができる。
【０１４４】
【０１４５】
さらに、請求項５に記載した発明の通信装置によれば、請求項４に記載の通信装置による効果に加えて、あらかじめ識別コードに対応した相手先名称が記憶されている場合、その相手先名称が発信データとともに表示されるので、どの相手先に対して発信したのかを容易に把握することができる。また、発信番号順に並び替えられた状態で表示された場合、相手先ごとにまとめて発信データが表示されることとなり、相手先からの発信データを容易に探すことができる。
【０１４６】
また、請求項６に記載した発明の通信装置によれば、記憶手段に記憶された所定件数分の発信データから所望の発信番号についての発信履歴のみを確認したい場合、たとえば、その発信番号の一部分を特定のデータとして入力すると、その特定のデータを含む発信データが検索結果として表示されるので、所望する発信番号が複数件数分にわたって記憶手段に記憶されており、しかも、その発信番号に前後して別の発信番号が発信データとして残されている場合であっても、検索による表示結果としては、所望の発信番号を含む発信データが連続した状態となり、その結果、発信履歴として残る所望の発信番号を効率良く探し出して確認することができる。
【０１４７】
さらに、請求項７に記載した発明の通信装置によれば、請求項６に記載の通信装置による効果に加えて、表示手段の表示結果に含まれる着信番号または発信番号を発呼信号として発信することができるので、履歴として残された所定件数分の着信データまたは発信データから発信すべき所望の相手先を簡単に探し出して発信することができる。
【０１４８】
また、請求項８に記載した発明の記憶媒体によれば、記憶されたプログラムに基づいてコンピュータを動作させることにより、請求項１に記載の通信装置の動作を実現することができる。
【０１４９】
さらに、請求項９に記載した発明の記憶媒体によれば、記憶されたプログラムに基づいてコンピュータを動作させることにより、請求項３に記載の通信装置の動作を実現することができる。
【０１５０】
また、請求項１０に記載した発明の記憶媒体によれば、記憶されたプログラムに基づいてコンピュータを動作させることにより、請求項４に記載の通信装置の動作を実現することができる。
【０１５１】
さらに、請求項１１に記載した発明の記憶媒体によれば、記憶されたプログラムに基づいてコンピュータを動作させることにより、請求項６に記載の通信装置の動作を実現することができる。
【図面の簡単な説明】
【図１】  本発明にかかる通信装置の一実施形態として、ファクシミリ電話装置の使用形態を示した説明図である。
【図２】  図１に示すファクシミリ装置本体の回路構成を示した回路ブロック図である。
【図３】  初期設定モードにおいて着信データがスクロール表示される状態を示した説明図である。
【図４】  番号順出力モードにおいて着信データがスクロール表示される状態を示した説明図である。
【図５】  受信処理時におけるＣＰＵの動作手順を示したフローチャートである。
【図６】  着信データの表示処理手順を示したフローチャートである。
【図７】  着信データの検索処理手順を示したフローチャートである。
【図８】  発信処理時におけるＣＰＵの動作手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１１  読取部
１２  印字部
１３  操作部
１４  表示部
１５  コードレス送受信部
１６  時計部
２１  公衆電話回線
【図１】
0004187825.tif 000002
【図２】
0004187825.tif 000003
【図３】
0004187825.tif 000004
【図４】
0004187825.tif 000005
【図５】
0004187825.tif 000006
【図６】
0004187825.tif 000007
【図７】
0004187825.tif 000008
【図８】
0004187825.tif 000009